(57)【特許請求の範囲】
【請求項１】
台座（４０）下面に垂直に平行して突設された突出板（３、３）の外側端部に中央部方形のスライド孔（７、７）と近接位置に第２の孔（６、６）と内側端部の第１の孔（５、５）がそれぞれ対向位置に穿設されたベース部（２）と、平行に連結され端縁部に切欠きを有する長方形の脚板（１４、１４）の上端部に第４の孔（１９、１９）と下端部に第５の孔（２０、２０）が穿設され、前記第５の孔（２０、２０）に貫通する車軸（１７）に車輪（１６、１６）が固着され、前記脚板（１４、１４）の上部内側対向位置にフック（１８、１８）が突設された脚部（１３）と、内側に凸形幅狭部（９ａ）を有する平板状の基板（９）と、前記基板（９）の外側面端部対向位置の内側下端部に幅狭部（１０ａ）を有し上部に第３の孔（１１、１１）が穿設された腕木（１０、１０）とを備えたリリースリンク部（８）と、平行に連結され内側端部に上方幅広部（２２ａ、２２ａ）を有する長方形の第一リンク（２２、２２）の外側端部に第７の孔（２５、２５）が穿設され前記幅広部（２２ａ、２２ａ）の内側端部の上方位置に第６の孔（２４、２４）が穿設された第一リンク部（２１）と、
平行に連結され内側端部に下方幅広部（２８ａ、２８ａ）を有する長方形の第二リンク（２８、２８）の外側端部に第８の孔（３０、３０）が穿設され前記幅広部（２８ａ、２８ａ）の内側端部の下方位置に第９の孔（３１、３１）が穿設された第二リンク部（２７）とを備え、
前記第２の孔（６）、第３の孔（１１）、第４の孔（１９）の一方から、他方の前記第２の孔（６）、第３の孔（１１）、第４の孔（１９）にシャフト（１２）を貫通し前記リリースリンク部（８）及び脚部（１３）が前記シャフト（１２）を軸芯として回動可能とされ、
前記スライド孔（７）及び第７の孔（２５）の一方から、他方の前記第７の孔（２５）及びスライド孔（７）にスライドシャフト（２６）を貫通し前記第一リンク部（２１）が前記シャフト（２６）を軸芯として回動可能とされ、前記スライドシャフト（２６）は前記スライド孔（７、７）に沿ってスライド可能とされ、
前記第１の孔（５）、第９の孔（３１）の一方から、他方の前記第１の孔（５）、第９の孔（３１）にシャフト（３３）を貫通し前記第二リンク部（２７）が前記シャフト（３３）を軸芯として回動可能とされ、
前記第６の孔（２４）、第８の孔（３０）の一方から、他方の前記第６の孔（２４）、第８の孔（３０）のシャフト（３２）を貫通し前記第一リンク部（２１）と前記第二リンク部（２７）が前記シャフト（３２）を軸芯として回動可能とされ、
前記スライドシャフト（２６）とシャフト（３３）の両端部間に一対の弾性材（３４、３４）が張設され台座（４０）の上下によって脚部（１３）の拡開又は折畳みが可能とされていることを特徴とする拡開折畳み自在脚。
【請求項２】
請求項１に記載の拡開折畳み自在脚において、弾性材がコイルばねであることを特徴とする拡開折畳み自在脚。
【請求項３】
請求項１〜２のいずれかに記載の拡開折畳み自在脚において、第４の孔（１９、１９）の下方又は上方近接対向位置に第１の小孔（３６、３６）が穿設され、第２の孔（６、６）の上方又は下方近接対向位置に第２の小孔（３７、３７）が穿設され、両端に巻軸対向方向に線状部を有する脚ばね（３５、３５）が突出板（４、４）と脚板（１４、１４）の中間位置で前記第１の小孔（３６、３６）及び第２の小孔（３７、３７）に圧入され、前記脚板（１４、１４）が脚部下降方向（Ｙ）へ付勢されていることを特徴とする拡開折畳み自在脚。
【発明の詳細な説明】
【０００１】
【発明の属する技術分野】
本発明は、テーブルの台座に用いられる拡開折畳み可能な脚の改良に関する。
【０００２】
【従来の技術】
従来のこれらの脚は、拡開時及び折畳み時に台座下面に手を入れて脚を引張り出すか、折畳むかしていた。
【０００３】
【発明が解決しようとする課題】
このため、テーブルの台座の持上げと脚の拡開折畳みを同時に行わねばならず、また幅広のテーブルの台座では折畳まれた脚が外側からみにくいため脚の拡開折畳みに労力を要していた。本発明は、テーブルの台座に用いられ脚の拡開折畳みが労力を要することなく行うことのできる拡開折畳み自在脚（以下自在脚と略称する）を得ることを目的とする。
【０００４】
【課題を解決するための手段】
前記目的を得るため、請求項１の発明にあっては、台座（４０）下面に垂直に平行して突設された突出板（３、３）の外側端部に中央部方形のスライド孔（７、７）と近接位置に第２の孔（６、６）と内側端部の第１の孔（５、５）がそれぞれ対向位置に穿設されたベース部（２）と、平行に連結され端縁部に切欠きを有する長方形の脚板（１４、１４）の上端部に第４の孔（１９、１９）と下端部に第５の孔（２０、２０）が穿設され、前記第５の孔（２０、２０）に貫通する車軸（１７）に車輪（１６、１６）が固着され、前記脚板（１４、１４）の上部内側対向位置にフック（１８、１８）が突設された脚部（１３）と、
内側に凸形幅狭部（９ａ）を有する平板状の基板（９）と、前記基板（９）の外側面端部対向位置の内側下端部に幅狭部（１０ａ）を有し上部に孔（１１、１１）が穿設された腕木（１０、１０）とを備えたリリースリンク部（８）と、平行に連結され内側端部に上方幅広部（２２ａ、２２ａ）を有する長方形の第一リンク（２２、２２）の外側端部に孔（２５、２５）が穿設され前記幅広部（２２ａ、２２ａ）の内側端部の上方位置に孔（２４、２４）が穿設された第一リンク部（２１）と、
平行に連結され内側端部に下方幅広部（２８ａ、２８ａ）を有する長方形の第二リンク（２８、２８）の外側端部に第８の孔（３０、３０）が穿設され前記幅広部（２８ａ、２８ａ）の内側端部の下方位置に第９の孔（３１、３１）が穿設された第二リンク部（２７）とを備え、
前記第１の孔（６）、第２の孔（１１）、第３の孔（１９）の一方から、他方の前記第２の孔（６）、第３の孔（１１）、第４の孔（１９）にシャフト（１２）を貫通し前記リリースリンク部（８）及び脚部（１３）が前記シャフト（１２）を軸芯として回動可能とされ、
前記スライド孔（７）及び第７の孔（２５）の一方から、他方の前記第７の孔（２５）及びスライド孔（７）にスライドシャフト（２６）を貫通し前記第一リンク部（２１）が前記シャフト（２６）を軸芯として回動可能とされ、前記スライドシャフト（２６）は前記スライド孔（７、７）に沿ってスライド可能とされ、
前記第１の孔（５）、第９の孔（３１）の一方から、他方の前記第１の孔（５）、第９の孔（３１）にシャフト（３３）を貫通し前記第二リンク部（２７）が前記シャフト（３３）を軸芯として回動可能とされ、
前記第６の孔（２４）、第８の孔（３０）の一方から、他方の前記第６の孔（２４）、第８の孔（３０）のシャフト（３２）を貫通し前記第一リンク部（２１）と前記第二リンク部（２７）が前記シャフト（３２）を軸芯として回動可能とされ、
前記スライドシャフト（２６）とシャフト（３３）の両端部間に一対の弾性材（３４、３４）が張設され台座（４０）の上下によって脚部（１３）の拡開又は折畳みが可能とされている拡開折畳み自在脚により解決した。
請求項２の発明にあっては、請求項１に記載の拡開折畳み自在脚において、弾性材がコイルばねである拡開折畳み自在脚であるのが好ましい。
請求項３の発明にあっては、請求項１〜２のいずれかに記載の拡開折畳み自在脚において、第４の孔（１９、１９）の下方又は上方近接対向位置に第１の小孔（３６、３６）が穿設され、第２の孔（６、６）の上方又は下方近接対向位置に第２の小孔（３７、３７）が穿設され、両端に巻軸対向方向に線状部を有する脚ばね（３５、３５）が突出板（４、４）と脚板（１４、１４）の中間位置で前記第１の小孔（３６、３６）及び第２の小孔（３７、３７）に圧入され、前記脚板（１４、１４）が脚部下降方向（Ｙ）へ付勢されている拡開折畳み自在脚とすることができる。
【０００５】
【発明の実施の形態】
本発明の実施の形態を図１〜４を参照して説明する。本発明の自在脚１は、次の構成よりなる。自在脚１はテーブルを載置する床面の状態に対応して、１個又は間隔を置いて２個設けられるが、２個の場合の構成は１個の場合と位置及び方向が異なるのみであり、ここでは水平な床面ＧＧについて１個の場合について説明する。テーブルの台座４０の下面に、平行板３下面より垂直に平行に突出する突出板４、４に外側端部（図１（ａ）、（ｂ）に示すテーブルの台座４０長手方向に向かって左側を指し、右側を内側として以下説明する。自在脚１が間隔を置いて２個設けられる場合は、対称位置にある自在脚は左側が内側で右側が外側となる。）の両端部円弧状で中央部方形のスライド孔７、７とその近接位置に円形の第２の孔６、６と内側端部の円形の第１の孔５、５がそれぞれ対向位置に穿設された断面コ字形のベース部２が固着されている。ここで、平行板３を設けずに、突出板４、４を断面Ｌ形として台座４０の下面に平行して固着することとしてもよい。
方形の連結板１５によって端縁部に切欠きを有する長方形の脚板１４、１４が平行に連結され、脚板１４、１４の上端部に円形の第４の孔１９、１９が穿設され、下端部に円形の第５の孔２０、２０が穿設され該第５の孔２０、２０に貫通し両端部にピン、リング等のとめ具を有する車軸１７の脚板１４、１４の内側位置に表面が脚板１４、１４下端よりはみ出して円形の車輪１６、１６が固着され車軸１７を軸芯として回動可能とされ、脚板１４、１４の上部内側対向位置にフック１８、１８が突設されて、脚部１３が構成されている。
【０００６】
内側に凸形幅狭部９ａを有する平板状の基板９と、基板９の側面外側端部対向位置に内側下端部に幅狭部１０ａ、１０ａを有し上部に円形の第３の孔１１、１１が穿設された腕木１０、１０とによりリリースリンク部８が構成されている。
方形の連結板２３によって内側端部に上方幅広部２２ａ、２２ａを有し長方形の第一リンク２２、２２が平行に連結され、第一リンク２２、２２には外側端部に円形の第７の孔２５、２５が穿設され幅広部２２ａ、２２ａの内側端部の上方位置には円形の第６の孔２４、２４が穿設されて第一リンク部２１が構成されている。
方形の連結板２９によって内側端部に下方幅広部２８ａ、２８ａを有し長方形の第二リンク２８、２８が平行に連結され、第二リンク２８、２８には外側端部に円形の第８の孔３０、３０が穿設され幅広部２８ａ、２８ａの内側端部の下方位置には円形の第９の孔３１、３１が穿設されて第二リンク部２７が構成されている。
自在脚１は、別に一対の弾性材であるコイルばね３４、３４と、両端部にピン、リング等のとめ具を有する断面円形のシャフト１２、３２、３３及びスライドシャフト２６とを備えている。また、平行板４、４の外側端部側面に固着された取付け板３８にねじ部により出入り調節可能なストッパー３９、３９を設けるのが好ましい。
【０００７】
上記の各構成要素の結合関係について説明する。
テーブルの台座４０の下面に固着されたベース部２の第２の孔６、脚部１３の第４の孔１９、リリースリンク部８の第３の孔１１の一方から、他方の第２の孔６、第３の孔１１、第４の孔１９を通して突出板４、４の外間隔より僅かに幅広のシャフト１２を貫通して、リリースリンク部８及び脚部１３がシャフト１２を軸芯として回動可能とされている。
ベース部２のスライド孔７、第一リンク２２の第７の孔２５の一方から、他方の第７の孔２５、スライド孔７を通してシャフト１２より幅広のスライドシャフト２６を貫通して、外側リンク部２１がシャフト２６を軸芯として回動可能とされ、スライドシャフト２６はスライド孔７、７に沿って外側と内側間をスライド可能としこれに従って第一リンク部２１が移動可能とされている。
ベース部２の第１の孔５と第二リンク２８の第９の孔３１の一方から、他方の第９の孔３１と第１の孔５を通してスライドシャフト２６と実質的に同幅のシャフト３３を貫通して、第二リンク部２７がシャフト３３を軸芯として回動可能とされている。
第二リンク２８の第８の孔３０と第一リンク２１の第６の孔２４の一方から、他方の第６の孔２４、第８の孔３０を通して第二リンク２８、２８の外間隔より僅かに幅広のシャフト３２を貫通して、第一リンク部２１と第二リンク部２７がシャフト３２を軸芯として回動可能とされている。
スライドシャフト２６とシャフト３３の端部間に一対のばね３４、３４が引張り状態に張設されている。ばね３４、３４は、台座４０と自在脚１の重量により脚部１３を介してスライドシャフト２６に掛かる力よりも弱い反力を有するもの即ちばね反力により、台座４０が上昇しない程度であれば良い。
【０００８】
次に、自在脚１の作動を順次説明する。
自在脚１は折畳み時には、図３に示すように、リリースリンク部８、脚部１３、第一リンク部２１、第二リンク部２７は、台座４０の下面に固着されたベース部２の平行板３下方の空隙部に折畳まれ、車輪１６、１６が床面ＧＧに接して台座４０の下面より最小の脚折畳み高さｈに保持されている。
自在脚１を折畳み状態から拡開状態にするには、図３、図２から図１に示すように、図３の折畳み状態から台座４０を上昇方向Ｕに持上げると、脚部１３が自重によってシャフト１２を支軸として時計回りの脚部下降方向Ｙへ回転し車輪１６、１６が下降する。脚部１３の脚部下降方向Ｙへの回転が進むと脚板１４、１４に突設されているフック１８、１８がリリースリンク部８の幅狭部１０ａ、１０ａに当接して基板９がシャフト１２を支軸として脚部下降方向Ｙへ回転し、第一リンク部２１、２１と第二リンク部２７、２７を連結するシャフト３２に基板９の凸形幅狭部９ａが当接して押下げるが、スライドシャフト２６とシャフト３３間のばね３４、３４の引張りに抗してスライドシャフト２６がスライド孔７、７に沿って外側に移動し車輪１６、１６の最下端が床面ＧＧに接して台座４０の下面より最大の脚拡開高さＨに保持される。この場合、ばね３４、３４の反力が脚板１４、１４外側にスライドシャフト２６を通して作用するが、台座４０の重量によって自在脚１は拡開状態に保持される。ストッパー３９、３９の出入りによって脚板１４、１４の下方位置の限度を調節可能である。
【０００９】
自在脚１を拡開状態から折畳み状態にするには、図１、図２から図３に示すように、図１の拡開状態から台座４０を上昇方向Ｕに持上げると、図２に示すようにスライドシャフト２６とシャフト３３間のばね３４、３４の引張りによって脚板１４、１４外側に当接しているスライドシャフト２６がスライド孔７、７に沿って内側に移動し、脚板１４、１４はシャフト１２を支軸として反時計回りの脚部上昇方向Ｘへ回転し車輪１６、１６が上昇する。車輪１６、１６の最下端が第一リンク部２１、２１の最下端と同一レベルに達した時から第一リンク部２１、２１が床面ＧＧに接触して反時計回りの脚部上昇方向Ｘへ回転を開始し、第一リンク部２１、２１の回転に伴ってシャフト３２によって連結されている第二リンク部２７、２７もシャフト３３を軸芯として回転開始し、図３に示す折畳み状態に何等労力を要することなく容易に到達することができる。
【００１０】
本発明の実施の他の形態を図面５を参照して説明する。
図１〜４について説明した実施の形態と同一の構成要素には同一符号を用い、一部記載を省略してある。
脚部１３の脚板１４、１４上端部に穿設された第４の孔１９、１９の下方近接対向位置に円形の第１の小孔３６、３６が穿設され、ベース部２の突出板４、４に穿設された第２の孔６、６の上方近接対向位置に円形の第２の小孔３７、３７が穿設され、両端に巻軸対向方向に線状部を有するコイルばねの脚ばね３５、３５を備え、突出板４、４と脚板１４、１４の中間位置において第２の小孔３７、３７と第１の小孔３６、３６に脚ばね３５、３５の各線状部を圧入して、突出板４、４に対し脚板１４、１４を脚部下降方向Ｙへ付勢している。ここで、第１の小孔３６、３６を第４の孔１９、１９の上方近接対向位置に、第２の小孔３７、３７を第２の孔６、６の下方近接対向位置に設けることとしてもよい。
前記した実施の形態における脚部１３が自重だけによってシャフト１２を支軸として時計回りの脚部下降方向Ｙへ回転するのに対し、この実施の他の形態では脚部１３が自重に加えて、脚ばね３５、３５による反発力によってより円滑に車輪１６、１６の下降が可能となる。
自在脚１を折畳み状態から拡開状態及び拡開状態から折畳み状態へのその他の動作は、前記した通りであり、説明を省略する。
【００１１】
【発明の効果】
本発明の自在脚によれば、テーブルの台座に用いられ脚の拡開折畳みが台座の上下によって労力を要することなく容易に行うことができる。
【図面の簡単な説明】
【図１】本発明の自在脚の一例の拡開時を示す（ａ）平面図、（ｂ）側面図、（ｃ）正面図である。
【図２】図１の自在脚の拡開時〜折畳み時の中間時を示す側面図である。
【図３】図１の自在脚の折畳み時を示す側面図である。
【図４】図１の自在脚の主たる構成要素を分解し模式的に示す概略図である。
【図５】本発明の自在脚の他の一例の平面図である。
【図６】図５の一部の構成要素を分解し模式的に示す概略図である。
【符号の説明】
１  自在脚
２  ベース部
３  平行板
４  突出板
５  第１の孔
６  第２の孔
７  スライド孔
８  リリースリンク部
９  基板
９ａ  凸形幅狭部
１０  腕木
１０ａ  幅狭部
１１  第３の孔
１２、３２、３３  シャフト
１３  脚部
１４  脚板
１５、２３、２９  連結板
１６  車輪
１７  車軸
１８  フック
１９  第４の孔
２０  第５の孔
２１  第一リンク部
２２  第一リンク
２２ａ、２８ａ  幅広部
２４  第６の孔
２５  第７の孔
２６  スライドシャフト
２７  第二リンク部
２８  第二リンク
３０  第８の孔
３１  第９の孔
３４  ばね
３５  脚用ばね
３６  第１の小孔
３７  第２の小孔
３８  取付け板
３９  ストッパー
４０  台座
ＧＧ  床面
Ｈ  脚拡開高さ
ｈ  脚折畳み高さ
Ｕ  台座上昇方向
Ｄ  台座下降方向
Ｘ  脚部上昇方向
Ｙ  脚部下降方向
【図１】
0003582032.tif 000002
【図２】
0003582032.tif 000003
【図３】
0003582032.tif 000004
【図４】
0003582032.tif 000005
【図５】
0003582032.tif 000006
【図６】
0003582032.tif 000007